(57)【要約】【課題】運転者が衝突したときに、内側及び外側フィニッシャを適切に変形させて、リム部やスポーク部の変形を確実に行わせることが可能なステアリングホイールを提供する。【解決手段】本発明のステアリングホイール(1)では、ステアリング本体(10)の乗員対向面に取り付けられる合成樹脂製のフィニッシャ(3)が、内側フィニッシャ(20)と、その内側フィニッシャ(20)上に少なくとも一部が重ねられた状態でステアリング本体(10)に固定される外側フィニッシャ(30)とを有し、内側フィニッシャ(20)は、外側フィニッシャ(30)が重ねられる内側重なり部分(22b)と、ステアリング本体(10)に固定される固定部(22d)と、内側重なり部分(22b)と固定部(22d)の間に配される脆弱部(22g)とを有する。【選択図】図３
2017065326.tif 000002
【特許請求の範囲】
【請求項１】
ステアリングシャフトに連結されるボス部と環状のリム部とが複数のスポーク部によって連結されたステアリング本体と、前記ステアリング本体の乗員対向面に取り付けられるフィニッシャとを有するステアリングホイールであって、
前記フィニッシャは、前記ステアリング本体に固定される内側フィニッシャと、前記内側フィニッシャ上に少なくとも一部が重ねられた状態で前記ステアリング本体に固定される外側フィニッシャとを有し、
前記内側フィニッシャは、前記外側フィニッシャが重ねられる内側重なり部分と、前記ステアリング本体に固定される固定部と、前記内側重なり部分と少なくとも１つの前記固定部の間に配され、前記内側フィニッシャの強度を局部的に小さくする構造を備えた脆弱部とを有する、
ことを特徴とするステアリングホイール。
【請求項２】
前記内側フィニッシャの前記内側重なり部分と、前記外側フィニッシャの前記内側重なり部分に重ねられる外側重なり部分とには、前記外側フィニッシャを前記内側フィニッシャに係合させる係合部が設けられている請求項１記載のステアリングホイール。
【請求項３】
前記係合部は、前記内側重なり部分に突設された凸壁部と、前記外側重なり部分に配され、前記凸壁部を嵌合可能な凹溝部とを有する請求項２記載のステアリングホイール。
【発明の詳細な説明】
【技術分野】
【０００１】
本発明は、ステアリング本体の乗員対向面にフィニッシャが固定されるステアリングホイールに関し、特に、フィニッシャが、ステアリング本体に固定される内側フィニッシャと、内側フィニッシャ上に少なくとも一部が重なる状態でステアリング本体に固定される外側フィニッシャとを有するステアリングホイールに関する。
【背景技術】
【０００２】
近年、車両衝突時等における運転者の安全性を確保するために、芯金部が変形可能に形成されたステアリングホイールが用いられている。例えば車両衝突時等において運転者がステアリングホイールに衝突したときに、ステアリングホイールのハンドル部となる環状リム部や、中心部分に配されるボス部とリム部間を連結するスポーク部などが、運転席側とは反対側となる前方（反運転者側）に向けて変形することにより、運転者が受ける衝撃荷重を吸収して緩和させることができる。
【０００３】
ところで、ステアリングホイールは、一般的に、スポーク部やボス部等が外部に露呈しないように、装飾部材等になる合成樹脂製のフィニッシャ（ガーニッシュとも言う）が乗員対向面側に取り付けられている。このようなフィニッシャは、ステアリング本体のスポーク部やリム部に直接係合したり、ビス等の固定部材を用いて固定されたりすることによって、ステアリング本体に取り付けられている。
【０００４】
このようにフィニッシャが乗員対向面側に取りけられたステアリングホイールにおいては、例えば車両衝突時等に運転者の衝突によって上述のようにリム部やスポーク部等が変形する場合に、フィニッシャも適切に変形させることによって、運転者が受ける衝撃荷重を効果的に吸収することができる。
【０００５】
また、例えば特開２０１３−１８９０５１号公報（特許文献１）には、車両衝突時等でリム芯金部やスポーク芯金部とフィニッシャとを変形させる際に、乗員の安全を確保するため、フィニッシャが変形しても、フィニッシャにおけるリム部側先端部などのようなエッジ部が浮き上がらないようにする技術が開示されている。
【０００６】
この特許文献１に記載されているステアリングホイールのフィニッシャは、ステアリング本体のスポーク部を覆って配されている。このフィニッシャは、当該フィニッシャにおけるリム部側の一端部に配され、リム部と係合する係合部と、当該フィニッシャにおけるボス部側の他端部に配され、ボス部のハブコアに掛止する掛止部とを有する。
【０００７】
この場合、ステアリング本体に対して衝撃荷重が作用して、係合部を係合させたリム部が曲げ変形したときに、フィニッシャの係合部は、リム部との係合状態が維持されるように形成されており、且つ、フィニッシャの掛止部は、ボス部との掛止状態が解除されるように形成されている。
【０００８】
このようなフィニッシャが取り付けられる特許文献１のステアリングホイールによれば、ステアリングホイールに運転者が衝突して荷重が加えられるときに、リム部が反運転者側に曲がるように変形することによって、運転者に対する衝撃荷重を吸収して低減させることができる。
【０００９】
またこのとき、変形するリム部にフィニッシャの係合部が係合していることによって、フィニッシャがリム部の変形方向に引っ張られて変位するとともに、そのフィニッシャの変位によってフィニッシャの係止部がボス部に掛止している状態が解除され、その係止部が動き易くなる。これにより、フィニッシャが突っ張ることによってリム部の変形が阻害されることを防止できるとともに、フィニッシャの係合部がリム部に係合した状態を保持しながらリム部の変形に追従することができるため、フィニッシャのリム部側の端部（エッジ部）がリム部から離反して自由になることも防止できる。
【先行技術文献】
【特許文献】
【００１０】
【特許文献１】特開２０１３−１８９０５１号公報
【発明の概要】
【発明が解決しようとする課題】
【００１１】
近年、ステアリングホイールの装飾性を更に高めて外観品質を向上させるために、例えば互いに異なる色や質感の２種類のフィニッシャが、ステアリング本体に取り付けられるようになってきている。また、２種類のフィニッシャをステアリング本体に取り付ける場合、通常、ステアリング本体に内側フィニッシャを係合により固定し、その後、外側フィニッシャを、少なくともその一部が内側フィニッシャ上に重なる状態でステアリング本体に係合により固定されている。
【００１２】
更に、このように２種類の内側及び外側フィニッシャをステアリング本体に係合させる場合、内側フィニッシャと外側フィニッシャとをそれぞれステアリング本体に安定して固定する必要があるため、内側及び外側フィニッシャをステアリング本体に掛止させる掛止部の個数が多くなる。
【００１３】
しかし、例えばステアリングホイールに運転者が衝突してステアリング本体のリム部やスポーク部が変形する際に、上述のように内側及び外側フィニッシャの掛止部が多くなると、リム部の変形が阻害されないようにフィニッシャの掛止部における掛止状態を解除したいときに、ステアリング本体の変形の仕方によっては、掛止部の一部において掛止状態の解除動作が不安定なる虞がある。
【００１４】
更に、内側フィニッシャと外側フィニッシャの２種類のフィニッシャを用いる場合、内側フィニッシャの一部に外側フィニッシャの一部が重なった状態でステアリング本体に固定されるため、両フィニッシャの重なり合っている部分の剛性が大きくなる。このため、ステアリング本体が変形するときに、内側及び外側フィニッシャが重なっている部分において、両フィニッシャが適切に変形せずに突っ張り易くなる傾向にあり、当該重なっている部分の近傍に配される掛止部（特に、内側フィニッシャの掛止部）の掛止状態が保持される虞もあった。
【００１５】
このため、従来では、様々なシミュレーションを行って、ステアリング本体の変形時に内側及び外側フィニッシャに設けた掛止部の掛止状態を適切に解除してリム部やスポーク部が確実に変形できるように、ステアリング本体や内側及び外側フィニッシャの設計が綿密に行われるため、設計コストの増大を招くとともに、ステアリングホイールの設計の自由度が制限されることもあった。
【００１６】
本発明は上記従来の課題に鑑みてなされたものであって、その目的は、内側フィニッシャと、内側フィニッシャ上に少なくとも一部が重なるように配される外側フィニッシャとをステアリング本体に安定して固定でき、且つ、運転者が衝突してステアリング本体のリム部やスポーク部が変形するときに、内側及び外側フィニッシャを突っ張らせることなく適切に変形させて、リム部やスポーク部の変形を確実に行わせることが可能なステアリングホイールを提供することにある。
【課題を解決するための手段】
【００１７】
上記目的を達成するために、本発明により提供されるステアリングホイールは、基本的な構成として、ステアリングシャフトに連結されるボス部と環状のリム部とが複数のスポーク部によって連結されたステアリング本体と、前記ステアリング本体の乗員対向面に取り付けられるフィニッシャとを有するステアリングホイールであって、前記フィニッシャは、前記ステアリング本体に固定される内側フィニッシャと、前記内側フィニッシャ上に少なくとも一部が重ねられた状態で前記ステアリング本体に固定される外側フィニッシャとを有し、前記内側フィニッシャは、前記外側フィニッシャが重ねられる内側重なり部分と、前記ステアリング本体に固定される固定部と、前記内側重なり部分と少なくとも１つの前記固定部の間に配され、前記内側フィニッシャの強度を局部的に小さくする構造を備えた脆弱部とを有することを最も主要な特徴とするものである。
【００１８】
このような本発明のステアリングホイールにおいて、前記内側フィニッシャの前記内側重なり部分と、前記外側フィニッシャの前記内側重なり部分に重ねられる外側重なり部分とには、前記外側フィニッシャを前記内側フィニッシャに係合させる係合部が設けられていることが好ましい。
この場合、前記係合部は、前記内側重なり部分に突設された凸壁部と、前記外側重なり部分に配され、前記凸壁部を嵌合可能な凹溝部とを有することが好ましい。
【発明の効果】
【００１９】
本発明に係るステアリングホイールでは、ステアリング本体の乗員対向面に取り付けられる可撓性を備えた合成樹脂製のフィニッシャが、内側フィニッシャと、内側フィニッシャ上に少なくとも一部が重ねられて固定される外側フィニッシャとを有する。また、内側フィニッシャは、外側フィニッシャが重ねられる内側重なり部分と、ステアリング本体に固定される固定部と、内側重なり部分と少なくとも１つの固定部の間に配され、内側フィニッシャの強度を局部的に小さくする構造を備えた脆弱部とを有する。
【００２０】
上述のように内側及び外側フィニッシャがステアリング本体に取り付けられる本発明のステアリングホイールによれば、内側フィニッシャを、１つ以上の固定部を介してステアリング本体に安定して固定できる。また、たとえば運転者がステアリングホイール衝突してステアリング本体のリム部やスポーク部が変形するときに、フィニッシャに所定の大きさ以上の荷重が加えられることによって、内側フィニッシャの脆弱部にて当該内側フィニッシャを確実に破断させて、上記固定部の存在に起因して内側フィニッシャを突っ張らせることなく、内側フィニッシャを比較的自由に撓ませる（変形させる）ことが可能となる。
【００２１】
従って、ステアリングホイールの設計を従来のように綿密に行わなくても、内側フィニッシャの所定の位置に脆弱部を設けることによって、運転者がステアリングホイールに衝突したときに、リム部やスポーク部が変形すると同時に、脆弱部を破断させて内側及び外側フィニッシャをリム部やスポーク部の変形に追従するように適切に撓ませることができる。それにより、内側及び外側フィニッシャが突っ張ること等によってリム部やスポーク部の変形を阻害することを防止でき、ステアリングホイールに衝突した運転者の衝撃荷重を効果的に吸収して、安定して低減させることができる。
【００２２】
更に、本発明のステアリングホイールでは、内側フィニッシャの脆弱部を内側重なり部分と固定部との間に設ければ良いため、ステアリングホイールの設計に要する労力や時間を低減して、設計コストの削減を図ることができるとともに、内側及び外側フィニッシャを有するステアリングホイールの設計の自由度を高めることができる。
【００２３】
なお、本発明において、内側フィニッシャには、１つ以上の固定部（好ましくは複数の固定部）が設けられており、上述の脆弱部は、内側フィニッシャに設けた少なくとも１つの固定部と、内側重なり部分との間に配置されている。また例えば内側フィニッシャに複数の固定部を設ける場合には、どの固定部と内側重なり部分との間に脆弱部を設けるかは任意に決めることができる。特に本発明では、破断した脆弱部が外部に露呈しないようにするために、更には、内側及び外側フィニッシャを適切に変形させるために、内側フィニッシャに設けられる複数の固定部のうち、外側フィニッシャの裏側に隠れる少なくとも１つの固定部（特に、内側重なり部分の最も近くに配される固定部）と、内側重なり部分との間に脆弱部を設けることが好ましい。
【００２４】
また、本発明において、フィニッシャは、内側フィニッシャ及び外側フィニッシャ以外に、車に搭載されるＡＶ機器等の操作を行うことが可能なスイッチモジュール部品を備えることが可能であり、また、内側フィニッシャ又は外側フィニッシャにスイッチモジュール部品を一体的に組み付けることも可能である。この場合、スイッチモジュール部品は、内側フィニッシャに配置しても良いし、外側フィニッシャに配置しても良い。
【００２５】
このような本発明のステアリングホイールにおいて、内側フィニッシャの内側重なり部分と、外側フィニッシャの内側重なり部分に重ねられる外側重なり部分とには、外側フィニッシャを内側フィニッシャに係合させる係合部が設けられている。これにより、運転者がステアリングホイールに衝突して、内側及び外側フィニッシャが上述のように浮き上がるように変形する際に、内側及び外側フィニッシャの重なり合いの状態を安定して維持することができ、それよって、外側フィニッシャの裏側に隠れている内側フィニッシャのエッジ部（端縁部）や、内側フィニッシャの上に重ねられている外側フィニッシャのエッジ部（端縁部）がステアリング本体から離反する方向に表出することを防止して、運転者の安全をより確実に確保することができる。
【００２６】
この場合、内側及び外側フィニッシャの係合部は、内側重なり部分に突設された凸壁部と、外側重なり部分に配され、凸壁部を嵌合可能な凹溝部とを有する。これにより、ステアリング本体の変形時に、内側及び外側フィニッシャの重なり合いの状態を維持できる係合部を簡単な構造で安定して形成することができる。
【図面の簡単な説明】
【００２７】
【図１】本発明の実施例１に係るステアリングホイールを示す正面図である。
【図２】同ステアリングホイールのステアリング本体と内側及び外側フィニッシャとを分解した状態で示す斜視図である。
【図３】図１に示したＩＩＩ−ＩＩＩ線における断面図である。
【図４】内側フィニッシャの脆弱部が破断した状態を示す断面図である。
【図５】実施例１の変形例に係る係合部を示す断面図である。
【発明を実施するための形態】
【００２８】
以下、本発明の好適な実施の形態について、図面を参照しながら詳細に説明する。なお、本発明は、下記の実施形態に何ら限定されるものではなく、本発明の特許請求の範囲に記載した構成と実質的に同一な構成を有し、且つ、同様な作用効果を奏する範囲において多様な変更が可能である。例えばステアリングホイールの形状、寸法、及びデザイン等については、以下の実施例に限定されるものではなく、特に、内側及び外側フィニッシャの形状、大きさ、設置位置などは任意に変更することができる。
【実施例１】
【００２９】
図１は、本実施例１に係るステアリングホイールを示す正面図であり、図２は、同ステアリングホイールのステアリング本体と内側及び外側フィニッシャとを分解した状態で示す斜視図である。また、図３は、図１に示したＩＩＩ−ＩＩＩ線における断面図である。
【００３０】
なお、以下の説明において、上下方向及び左右方向とは、ステアリングシャフトの軸方向に直交する方向で、ステアリングホイールをニュートラル位置の状態にて運転者側から見たときの同ステアリングホイールにおける上下方向（図１においてリム部の０時の部分と６時の部分を結ぶ方向）及び左右方向（図１においてリム部の９時の部分と３時の部分を結ぶ方向）を言う。また、前方とは、ステアリングシャフトの軸方向に平行な方向で、運転者側から見たときのステアリングホイールの奥側（裏面側）の方向を言い、後方とは、ステアリングホイールの手前側（表面側）の方向を言う。
【００３１】
本実施例１のステアリングホイール１は、ステアリング本体１０と、ステアリング本体１０の運転者に対向する乗員対向表面（後面）側に配され、エアバッグモジュールを内部に収納するステアリングパッド２と、ステアリング本体１０の乗員対向表面側を被覆するようにステアリングパッド２から下側及び左右両側に延びるように配されるフィニッシャ３と、ステアリング本体１０の乗員対向表面とは反対となる裏面（前面）側を被覆する図示しないロアカバーとを有する。
【００３２】
なお、本実施例１において、図示しないステアリングパッド２、そのステアリングパッド２内に収納される図示しないエアバッグモジュール、及びロアカバーについては、従来の一般的なステアリングホイールに用いられているステアリングパッド、エアバッグモジュール、及びロアカバーと基本的に同様に構成されているため、ここでは、これらの詳細な説明を省略することとする。
【００３３】
ステアリング本体１０は、図２に示すように、運転者が把持する環状のリム部１１と、リム部１１の中央部に配されるボス部１２と、リム部１１及びボス部１２間を連結する下側（６時側）、左側（９時側）、及び右側（３時側）のスポーク部１３とを有する。
【００３４】
このステアリング本体１０のリム部１１、ボス部１２及びスポーク部１３は、芯材（骨格）となる金属製のリム芯金部、ボス芯金部１２ａ及びスポーク芯金部１３ａをそれぞれ有するとともに、リム芯金部とスポーク芯金部１３ａの一部とは、発泡ウレタンなどの合成樹脂製の被覆部１４により覆われている。なお本発明では、ステアリングホイール１の意匠性を高めるために、被覆部１４に本革を巻き付けることや加飾を行うことも可能である。
【００３５】
ステアリング本体１０のボス部１２には、ステアリングシャフトが連結されるシャフト連結部１２ｂが形成されているとともに、ステアリングパッド２内に収容されるエアバッグモジュールを取り付けるためのモジュール取付部（図示省略）が設けられている。
【００３６】
更に、ボス部１２及びスポーク部１３には、フィニッシャ３を固定して取り付けるための本体側固定部１５などが設けられている。この場合、本体側固定部１５は、例えばフィニッシャ３に設けられた突起部を挿入して固定する取付孔や、ネジ等の固定部材４を用いてフィニッシャ３を固定するネジ孔１５ａなどから形成されている。なお、本願の図２においては、本体側固定部１５の一部の図示が省略されている。
【００３７】
ステアリング本体１０のスポーク芯金部１３ａに取り付けられる本実施例１のフィニッシャ３は、図２に示したように、略Ｙ字状の内側フィニッシャ（第１フィニッシャ）２０と、その内側フィニッシャ２０上に少なくとも一部が重ねられた状態でステアリング本体１０に固定される左右の外側フィニッシャ（第２フィニッシャ）３０とを有する。
【００３８】
これらの内側フィニッシャ２０と外側フィニッシャ３０は、例えばポリカーボネート樹脂、ＡＢＳ樹脂、及びポリカーボネート樹脂とＡＢＳ樹脂の混合樹脂などのような変形可能な性質を有する合成樹脂により形成されている。また、内側フィニッシャ２０と外側フィニッシャ３０とは、互いに異なる色彩を呈するように形成されており、本実施例１の場合、内側フィニッシャ２０はシルバー系の色を呈し、外側フィニッシャ３０は黒系の色を呈する。
【００３９】
なお、本実施例１のフィニッシャ３では、必要に応じて、車に搭載されるＡＶ機器等の操作を行うことが可能なスイッチモジュール部品を、内側フィニッシャ２０又は外側フィニッシャ３０に一体的に組み付けることが可能である（言い換えると、スイッチモジュール部品が、内側フィニッシャ２０又は外側フィニッシャ３０の一部又は全部を形成しても良い）。
【００４０】
内側フィニッシャ２０は、左右方向（幅方向）の中央を基準にして左右対称的な形状を有する。また、内側フィニッシャ２０は、ステアリングパッド２に接するとともに下側のスポーク部１３を被覆する中央部２１と、中央部２１の上端部から左右方向の外側に向けて延設され、左右のスポーク部１３の一部を被覆する左右の延出部２２とを有する。
【００４１】
更に、内側フィニッシャ２０の裏面には、ステアリング本体１０の本体側固定部１５に固定される突起部や、ネジ等の固定部材４を挿通させる図示しない挿通孔２２ｆが穿設された固定片部２２ｄなどのステアリング本体１０に対する複数の固定部が、例えばリム部１１やステアリングパッド２に近接する位置などの所定の位置に設けられている。
【００４２】
本実施例１の内側フィニッシャ２０における左右の延出部２２は、図３に示すように、外部に露呈して装飾性を高めるフィニッシャ本体部２２ａと、フィニッシャ本体部２２ａから連続的に形成され、外側フィニッシャ３０が重ねられる内側重なり部分２２ｂと、内側重なり部分２２ｂに突設され、外側フィニッシャ３０に係合する凸壁部（内側係合部）２２ｃと、固定部材（ネジ）４を介してステアリング本体１０に固定される前記固定片部２２ｄと、内側重なり部分２２ｂ及び固定片部２２ｄ間に配され、外側フィニッシャ３０の裏面側に隠れる連結部２２ｅとを有する。
【００４３】
この場合、内側フィニッシャ２０における内側重なり部分２２ｂ、凸壁部２２ｃ、固定片部２２ｄ、及び連結部２２ｅは、内側フィニッシャ２０及び外側フィニッシャ３０がステアリング本体１０に取り付け固定されたときに、外側フィニッシャ３０の裏面側に配されて、外側から見えないように隠れる部分となる。なお、本実施例１において、内側フィニッシャ２０における左右の延出部２２は、対称的な形状を有するため、以下では、右側の延出部２２を中心にして、図３を主に参照しながらその説明を行うこととする。
【００４４】
内側フィニッシャ２０のフィニッシャ本体部２２ａは、ステアリング本体１０の左右のスポーク部１３に対応して形成されている。このフィニッシャ本体部２２ａは、板厚が比較的薄く、運転者がステアリングホイール１に衝突してステアリング本体１０のリム部１１やスポーク部１３が変形するときに、リム部１１やスポーク部１３の変形に従って撓む（変形する）ことが可能に形成されている。
【００４５】
内側フィニッシャ２０の内側重なり部分２２ｂは、フィニッシャ本体部２２ａから連続して略平行に設けられており、外側フィニッシャ３０の端縁部（後述する外側重なり部分３４）が重ね合わされて、外側フィニッシャ３０が接触又は近接する部分である。この内側重なり部分２２ｂが設けられていることによって、内側フィニッシャ２０の強度を適切に確保できるとともに、内側及び外側フィニッシャ２０，３０に寸法誤差等が生じても、外側フィニッシャ３０を内側フィニッシャ２０上に安定して重ね合せて、内側フィニッシャ２０と外側フィニッシャ３０との間に隙間が形成されることを防止できる。
【００４６】
内側フィニッシャ２０の凸壁部２２ｃ（内側係合部）は、内側重なり部分２２ｂに、所定の高さ寸法をもって左右方向に沿うように連続的に形成されている。なお、本発明の凸壁部２２ｃは、左右方向に間欠的に形成されていても良い。
【００４７】
内側フィニッシャ２０の連結部２２ｅは、内側重なり部分２２ｂから屈曲部を介して、フィニッシャ本体部２２ａ及び内側重なり部分２２ｂに対して傾斜する方向に延びている。また、この連結部２２ｅは、内側重なり部分２２ｂから固定片部２２ｄに向けて板厚を漸減させて形成されており、連結部２２ｅにおける固定片部２２ｄ側の端部に、強度を局部的に小さくした構造を備えた脆弱部２２ｇが設けられている。
【００４８】
なお、本実施例１において、内側フィニッシャ２０の脆弱部２２ｇは、連結部２２ｅの板厚を小さくすることによって形成されているが、本発明では、例えば連結部の板厚を変化させることなく、一定の大きさに設定するとともに、連結部に部分的に切り込み（スリット）を形成して連結部の強度を局部的に小さくすることによって、当該連結部に脆弱部を形成することも可能である。
【００４９】
また、本実施例１における脆弱部２２ｇの設置個所は、内側フィニッシャ２０の連結部２２ｅに限定されるものではなく、内側重なり部分２２ｂに設けても良いし、固定片部２２ｄの後述する挿通孔２２ｆよりも連結部２２ｅ側の位置に設けても良い。
【００５０】
内側フィニッシャ２０の固定片部２２ｄは、連結部２２ｅから屈曲部を介して、フィニッシャ本体部２２ａ及び内側重なり部分２２ｂと略平行に延設されている。本実施例１において、内側フィニッシャ２０の固定片部２２ｄと、その固定片部２２ｄが固定されるステアリング本体１０（スポーク芯金部１３ａ）の本体側固定部１５とは、内側フィニッシャ２０の内側重なり部分２２ｂの近傍に配されている。
【００５１】
また、本実施例１の固定片部２２ｄには、内側フィニッシャ２０をスポーク部１３に固定する固定部材（ネジ）４を挿通させる挿通孔２２ｆが穿設されている。この場合、内側フィニッシャ２０の固定片部２２ｄと、その固定片部２２ｄに設けた挿通孔２２ｆは、スポーク部１３に配される本体側固定部１５と、その本体側固定部１５に設けたネジ孔１５ａの位置に対応する位置に配されている。
【００５２】
本実施例１における左右の外側フィニッシャ３０は、互いに対称的な形状を有して形成されている。従って、以下では、右側の外側フィニッシャ３０を中心にして、図面を参照しながらその説明を行うこととする。
右側の外側フィニッシャ３０は、運転席側（正面）から見たときに（図１を参照）、直線的な上辺部及び下辺部と、上辺部の内側端部及び下辺部の内側端部間を接続する湾曲状の左側辺部と、上辺部の外側端部及び下辺部の外側端部間を接続する湾曲状の右側辺部とからなる略四角形の形状を呈するように形成されている。また、外側フィニッシャ３０には、ネジ等の固定部材を挿通させる図示しない挿通孔が穿設された固定片部や、係合爪などのステアリング本体１０に対する複数の固定部が所定の位置に設けられている。
【００５３】
この外側フィニッシャ３０は、スポーク部１３から離れた位置に運転席から見えるように配される天板部（本体部）３１と、天板部３１の上辺部分及び下辺部分からスポーク部１３に向けて垂設される上壁部（図示は省略）及び下壁部３２と、天板部３１の内側縁部分からスポーク部１３に向けて垂設される内壁部３３と、天板部３１の外側縁部分からスポーク部１３に向けて垂設される外壁部（図示は省略）と、天板部３１の下端縁部に配され、内側フィニッシャ２０の内側重なり部分２２ｂに重ねられる外側重なり部分３４と、外側重なり部分３４の裏面に設けられる外側係合部３５とを有する。
【００５４】
外側フィニッシャ３０の天板部３１は、板厚が比較的薄く、運転者がステアリングホイール１に衝突してステアリング本体１０のリム部１１やスポーク部１３が変形するときに、リム部１１やスポーク部１３の変形に従って撓む（変形する）ことが可能に形成されている。
【００５５】
外側フィニッシャ３０の上壁部、下壁部３２、内壁部３３、及び外壁部は、外側フィニッシャ３０を裏面側から見たときに略四角形状を呈するように配されており、外側フィニッシャ３０の強度を高めている。また、天板部３１の裏面側には、上壁部、下壁部３２、内壁部３３、及び外壁部に囲まれて内部空間が形成されている。
【００５６】
外側フィニッシャ３０の外側重なり部分３４は、内側フィニッシャ２０における左右の延出部２２に沿って、ステアリングホイール１の幅方向（左右方向）に延びて形成されている。この外側重なり部分３４は、天板部３１と同じ板厚を有し、天板部３１から屈曲部を介して内側重なり部分２２ｂに徐々に近付くように（天板部３１から下り傾斜するように）、下方側に連続的に延設されている。
【００５７】
この外側重なり部分３４の裏面に設けられる外側係合部３５は、外側重なり部分３４に左右方向に沿って連続的に形成される２列の第１壁部（内周側壁部）３５ａ及び第２壁部（外周側壁部）３５ｂと、第１及び第２壁部３５ａ、３５ｂ間に形成され、内側フィニッシャ２０の凸壁部２２ｃを嵌合させる凹溝部３５ｃとを有する。なお、本発明における外側係合部３５の第１壁部３５ａ及び第２壁部３５ｂは、左右方向に沿って間欠的に形成されていても良い。
【００５８】
上述のような内側フィニッシャ２０及び左右の外側フィニッシャ３０とからなる本実施例１のフィニッシャ３を、ステアリング本体１０に取り付ける場合には、先ず、ステアリング本体１０に対して内側フィニッシャ２０の位置を合わせて、内側フィニッシャ２０をステアリング本体１０に向けて押し込む。
【００５９】
これにより、内側フィニッシャ２０の裏面側に設けられた図示しない突起部がステアリング本体１０の取付孔に挿入されて、内側フィニッシャ２０が所定の位置で仮固定される。このとき、内側フィニッシャ２０の固定片部２２ｄに設けられた挿通孔２２ｆの位置が、ステアリング本体１０に設けられたネジ孔１５ａの位置に合わせられる。
【００６０】
続いて、固定部材（ネジ）４を、内側フィニッシャ２０の挿通孔２２ｆに挿入して、ステアリング本体１０のネジ孔１５ａに螺合させる。これにより、内側フィニッシャ２０が、ステアリング本体１０に最終固定される。
【００６１】
内側フィニッシャ２０をステアリング本体１０に固定した後、外側フィニッシャ３０を、外側フィニッシャ３０の外側重なり部分３４が内側フィニッシャ２０の内側重なり部分２２ｂ上に重なるようにして、スポーク部１３に被せる。このとき、内側フィニッシャ２０に設けた凸壁部２２ｃを外側フィニッシャ３０に設けた凹溝部３５ｃ内に挿入して嵌合させる。
【００６２】
その後、外側フィニッシャ３０をステアリング本体１０に固定する図示しないネジ等の固定部材を、外側フィニッシャ３０の図示しない挿通孔に挿入して、ステアリング本体１０の図示しないネジ孔に螺合させる。
【００６３】
これにより、外側フィニッシャ３０が、外側重なり部分３４を内側フィニッシャ２０の内側重なり部分２２ｂに重ね合せた状態でステアリング本体１０に固定されて、内側及び外側フィニッシャ２０，３０がステアリング本体１０に取り付けられる。
【００６４】
更に、上述のように内側及び外側フィニッシャ２０，３０が取り付けられたステアリング本体１０に、エアバッグモジュールを収納したステアリングパッド２やロアカバーが取り付けられることによって、図１に示した本実施例１のステアリングホイール１が得られる。
【００６５】
上述のようにして組み立てられた本実施例１のステアリングホイール１では、互いに色彩の異なる内側フィニッシャ２０と外側フィニッシャ３０とが、固定部材４を介してステアリング本体１０に安定してしっかりと固定されているため、ステアリングホイール１の外観品質（装飾性）が高められている。
【００６６】
また、車両衝突時等に運転者が本実施例１のステアリングホイール１に衝突した場合には、ステアリング本体１０のリム部１１やスポーク部１３に所定の大きさ以上の荷重が加えられるため、その荷重によってリム部１１やスポーク部１３が前方側に湾曲するように変形する。また同時に、ステアリングホイール１の内側及び外側フィニッシャ２０，３０にも大きな荷重が加えられる。
【００６７】
このとき、本実施例１のステアリングホイール１では、図４に示したように、内側フィニッシャ２０に加えられた荷重によって、内側フィニッシャ２０の連結部２２ｅに設けた脆弱部２２ｇが瞬時に破断する。これにより、内側フィニッシャ２０の撓み変形と、外側フィニッシャ３０の撓み変形とが、ステアリング本体１０のスポーク部１３に拘束されなくなる（阻害されなくなる）。
【００６８】
その結果、内側及び外側フィニッシャ２０，３０は、ステアリング本体１０への固定に起因する窮屈な変形から開放されて、内側フィニッシャ２０と外側フィニッシャ３０とが部分的に重なり合っていても突っ張り難くなるため、リム部１１やスポーク部１３の変形に追従するように適切に変形することが可能となる（図４を参照）。
【００６９】
そして、上述のようにステアリングホイール１のリム部１１やスポーク部１３が、内側及び外側フィニッシャ２０，３０の適切な変形を伴いながら安定して変形することにより、ステアリングホイール１に衝突した運転者の衝撃荷重を効果的に吸収して、安定して低減させることができる。それにより、運転者を怪我から保護し、運転者の安全を確保することが可能となる。
【００７０】
更に、本実施例１のステアリングホイール１では、内側フィニッシャ２０の内側重なり部分２２ｂに設けた凸壁部２２ｃが、外側フィニッシャ３０の外側重なり部分３４に設けた凹溝部３５ｃに嵌合している。このように凸壁部２２ｃが凹溝部３５ｃに嵌合していることによって、運転者が本実施例１のステアリングホイール１に衝突して、内側及び外側フィニッシャ２０，３０が上述のように脆弱部２２ｇの破断によって適切に変形する際に、内側フィニッシャ２０の内側重なり部分２２ｂと外側フィニッシャ３０の外側重なり部分３４とが重なり合っている状態を安定して維持することができる。
【００７１】
それによって、例えば内側及び外側フィニッシャ２０，３０がステアリング本体１０から離間する方向に大きく浮き上がることによって、外側フィニッシャ３０の裏側に隠れている内側フィニッシャ２０のエッジ部（端縁部）や、内側フィニッシャ２０の上に重ねられている外側フィニッシャ３０のエッジ部（端縁部）がステアリング本体１０から離反する方向に表出する（突出する）ような挙動を防止できるため、運転者がこれらのエッジ部によって傷付くことを効果的に防いで、運転者の安全をより確実に確保することが可能となる。
【００７２】
その上、本実施例１では、内側フィニッシャ２０の脆弱部２２ｇを、例えば内側重なり部分２２ｂと固定片部２２ｄとの間の所定の位置に設定することにより、運転者がステアリングホイール１に衝突したときに、上述のように脆弱部２２ｇを確実に破断させて、内側及び外側フィニッシャを適切に且つ簡単に変形させることができる。
【００７３】
このため、本実施例１のステアリングホイール１は、例えば２種類のフィニッシャが取り付けられる従来のステアリングホイールに比べて、ステアリングホイール１の設計に要する労力や時間を低減して、設計コストの削減を図ることができるとともに、ステアリングホイールの設計の自由度を高めることができる。
【００７４】
なお、上述した実施例１のステアリングホイール１において、内側フィニッシャ２０の内側重なり部分２２ｂと、外側フィニッシャ３０の内側重なり部分２２ｂに重ねられる外側重なり部分３４とを係合させる係合部は、内側重なり部分２２ｂに突設した凸壁部（内側係合部）２２ｃと、外側重なり部分３４に設けた外側係合部３５（具体的には、第１及び第２壁部３５ａ、３５ｂ間に設けられる凹溝部３５ｃ）とによって形成されている。
【００７５】
しかし、本発明において、内側フィニッシャ２０の内側重なり部分２２ｂと外側フィニッシャ３０の外側重なり部分３４とを係合させる係合部は、上記の形態に限定されるものではない。例えば、外側フィニッシャ３０の外側重なり部分３４に凸壁部を設けるとともに、内側フィニッシャ２０の内側重なり部分２２ｂに凹溝部を設けることによって、内側フィニッシャ２０と外側フィニッシャ３０の係合部を形成することも可能である。
【００７６】
更に、例えば実施例１の変形例に係る係合部を図５に示すように、内側フィニッシャ２０の内側重なり部分２２ｂに内側引っ掛け部２２ｈを設けるとともに、外側フィニッシャ３０の外側重なり部分３４に、内側引っ掛け部２２ｈに引っ掛かって係合する外側引っ掛け部３６を設けることによって、内側フィニッシャ２０と外側フィニッシャ３０の係合部を形成しても良い。
【００７７】
この場合、内側引っ掛け部２２ｈは、内側重なり部分２２ｂから立設される内側支持柱部と、その内側支持柱部の先端部から傾斜して延びる内側爪部とを有し、外側引っ掛け部３６は、外側重なり部分３４から垂設される外側支持柱部と、その外側支持柱部の先端部から傾斜して延びる外側爪部とを有する。
【００７８】
このように内側及び外側引っ掛け部２２ｈ，３６によって係合部が形成されていても、運転者がステアリングホイールに衝突して、上述のように脆弱部２２ｇが破断して内側及び外側フィニッシャ２０，３０が適切に変形する際に、前述の実施例１の係合部の場合と同様に、内側フィニッシャ２０の内側重なり部分２２ｂと外側フィニッシャ３０の外側重なり部分３４とが重なり合っている状態を安定して維持し、内側及び外側フィニッシャ２０，３０のエッジ部がステアリング本体１０から離反する方向に突出することを効果的に防止できる。
【符号の説明】
【００７９】
１                ステアリングホイール
２                ステアリングパッド
３                フィニッシャ
４                固定部材（ネジ）
１０                ステアリング本体
１１                リム部
１２                ボス部
１２ａ              ボス芯金部
１２ｂ              シャフト連結部
１３                スポーク部
１３ａ              スポーク芯金部
１４                被覆部
１５                本体側固定部
１５ａ              ネジ孔
２０                内側フィニッシャ（第１フィニッシャ）
２１                中央部
２２                延出部
２２ａ              フィニッシャ本体部
２２ｂ              内側重なり部分
２２ｃ              凸壁部（内側係合部）
２２ｄ              固定片部
２２ｅ              連結部
２２ｆ              挿通孔
２２ｇ              脆弱部
２２ｈ              内側引っ掛け部
３０                外側フィニッシャ（第２フィニッシャ）
３１                天板部（本体部）
３２                下壁部
３３                内壁部
３４                外側重なり部分
３５                外側係合部
３５ａ              第１壁部（内周側壁部）
３５ｂ              第２壁部（外周側壁部）
３５ｃ              凹溝部
３６                外側引っ掛け部
【図１】
2017065326.tif 000003
【図２】
2017065326.tif 000004
【図３】
2017065326.tif 000005
【図４】
2017065326.tif 000006
【図５】
2017065326.tif 000007